(57)【要約】      （修正有）【課題】電源電圧の供給が遮断されている間は確実に停止することができる受光増幅素子、およびその受光増幅素子を複数備えて構成される光ピックアップ装置を提供する。【解決手段】光信号を電気信号に変換する受光素子と、上記受光素子から出力される電気信号を増幅するものであって、スイッチ端子ＳＷに入力される電圧に応じてゲインが可変する増幅回路とを備える受光増幅素子において、電源電圧端子Ｖccへの電源電圧の供給が遮断されることにより、スイッチ端子ＳＷと、上記受光増幅素子における内部回路、すなわち接続点Ｐよりも後段の回路Ｄ１１、Ｄ１２、Ｒ１３、Ｒ１４、Ｑ１５との接続が切断される。【選択図】図１
2009130440.tif 000002
【特許請求の範囲】
【請求項１】
光信号を電気信号に変換する受光素子と、上記受光素子から出力される電気信号を増幅するものであって、ゲイン切替端子に入力される電圧に応じてゲインが可変する増幅回路とを備える受光増幅素子において、
電源電圧の供給が遮断されることにより、上記ゲイン切替端子と上記受光増幅素子における内部回路との接続が切断されることを特徴とする受光増幅素子。
【請求項２】
Ｎチャネル型ＭＯＳトランジスタ、Ｐチャネル型ＭＯＳトランジスタ、およびインバータ回路により構成される切替回路を、上記ゲイン切替端子と上記内部回路との間に備え、
上記Ｎチャネル型ＭＯＳトランジスタのドレイン端子と上記Ｐチャネル型ＭＯＳトランジスタのソース端子とが、上記内部回路に共通に接続され、
上記Ｎチャネル型ＭＯＳトランジスタのソース端子と上記Ｐチャネル型ＭＯＳトランジスタのドレイン端子とが、上記ゲイン切替端子に共通に接続され、
上記Ｎチャネル型ＭＯＳトランジスタのゲート端子には、上記電源電圧が供給され、
上記Ｐチャネル型ＭＯＳトランジスタのゲート端子には、上記インバータ回路を介して上記電源電圧が供給されていることを特徴とする請求項１に記載の受光増幅素子。
【請求項３】
複数の波長に対応するように、複数の受光増幅素子を備えて構成される光ピックアップ装置において、
上記受光増幅素子は、請求項１または２に記載の受光増幅素子であり、
上記各受光増幅素子のゲイン切替端子は共通の配線に接続され、かつ、上記各受光増幅素子の出力端子は共通の配線に接続されていることを特徴とする光ピックアップ装置。
【発明の詳細な説明】
【技術分野】
【０００１】
本発明は、入力電圧に応じてゲインが切り替えられる受光増幅素子、および、複数の波長に対応するように上記受光増幅素子を複数備えて構成される光ピックアップ装置に関するものである。
【背景技術】
【０００２】
光ディスクは、音声、映像、および文書データなどを記録するメディアとして広く使用されている。光ディスクの再生または記録を行う装置は各種開発されており、上記装置における先端部分において光ディスクからの光信号の入出力を行う主要構成要素に、光ピックアップ装置がある。既存の光ディスクとしては、赤外レーザーに対応したＣＤ（Compact Disc）、および赤色レーザーに対応したＤＶＤ（Digital Versatile Disc）があり、近年では、青色レーザーに対応したＢＤ（Blu-ray Disc）が増加してきている。これに対応して、３つの波長（ＣＤ：７８０ｎｍ、ＤＶＤ：６５０ｎｍ、ＢＤ：４０５ｎｍ）に対応した光ピックアップ装置の開発が進んでいる。
【０００３】
このような光ピックアップ装置は、３つの波長に対応するために、各波長に応じて選択的に切り替えられる３つの受光増幅素子を備えて構成される。各光ディスクは、その表面において異なる反射率を有し、照射可能なレーザー光パワーも光ディスク毎に規定されている。このため、対応させるメディアの種類の増加に対し、受光増幅素子において最適な信号振幅を得るためには、複数のゲイン切替機能が必要となる。そこで、受光増幅素子にはゲインコントロール用のスイッチ端子が備えられている（例えば、特許文献１参照。）。
【０００４】
図２は、従来の受光増幅素子１００の概略構成を示す回路図である。
【０００５】
受光増幅素子１００は、図２に示すように、受光素子１０１、前段増幅回路１０２、後段増幅回路１０３、ロジック回路１０４、帰還回路１０５、電源電圧端子Ｖcc、スイッチ端子ＳＷ、基準電圧端子Ｖref、出力端子Ｖout、および電源グランド端子ＧＮＤを備えている。また、これらの構成は、同一の半導体基板上に形成されている。
【０００６】
光ディスクから反射した光信号は受光素子１０１（例えばフォトダイオード）により受光され、光信号から電気信号に変換される。そして、受光素子１０１から出力された電気信号は、前段増幅回路１０２にて電気信号から電圧信号に変換されるとともに増幅され、さらに、後段増幅回路１０３にて増幅されて、出力端子Ｖoutから出力される。なお、後段増幅回路１０３は、基準電圧端子Ｖrefから基準電圧が供給され、出力は抵抗を介して帰還されている。
【０００７】
また、前段増幅回路１０２には、帰還回路１０５が接続されている。帰還回路１０５は、抵抗１０６からなる回路、並びに、抵抗１０７とＭＯＳトランジスタで構成されるＭＯＳスイッチ１０８とが直列接続された回路がＮ段（Ｎ＝１，２，３，…）並列接続されてなる回路が、並列に接続された構成を有している。
【０００８】
通常、スイッチ端子ＳＷには、０Ｖから電源電圧である５Ｖまでの電圧が入力される。ロジック回路１０４は、入力電圧の電圧レベルを判定して、設定するゲインに切り替えるための信号を帰還回路１０５に出力する。帰還回路１０５では、ロジック回路１０４から出力される信号に従って、ＭＯＳスイッチ１０８のオン／オフが選択的に切り替えられる。これにより、抵抗値の異なる帰還ループが選択的に切り替えられることになるので、受光増幅素子１００のゲイン（感度）特性が切り替わる。つまりは、受光増幅素子１００は、スイッチ端子ＳＷに入力された電圧の電圧レベルを判定して、ゲインモードの設定を行っている。
【０００９】
次いで、上記受光増幅素子１００を２個搭載した２波長（ＤＶＤ／ＣＤ）に対応する光ピックアップ装置について、図３を参照しながら説明する。なお、３つの波長に対応させる場合は受光増幅素子１００を３つ搭載すればよい。
【００１０】
光ピックアップ装置２００は、光ディスクの再生／記録を行う電子機器に搭載されており、図３に示すように、ＤＶＤから反射した光信号を受光増幅するＤＶＤ用受光増幅素子１００ａ、ＣＤから反射した光信号を受光増幅するＣＤ用受光増幅素子１００ｂ、ＤＶＤ用電源電圧端子Ｖcc_ＤＶＤ、ＤＶＤ用基準電圧端子Ｖref_ＤＶＤ、ＤＶＤ用スイッチ端子ＳＷ_ＤＶＤ、ＣＤ用電源電圧端子Ｖcc_ＣＤ、ＣＤ用基準電圧端子Ｖref_ＣＤ、ＣＤ用スイッチ端子ＳＷ_ＣＤ、電源グランド端子ＧＮＤ、ＤＶＤ用出力端子ｅ１〜ｅ３、およびＣＤ用出力端子ｆ１〜ｆ３を備えている。
【００１１】
ＤＶＤ用受光増幅素子１００ａとＣＤ用受光増幅素子１００ｂとは並列に配置されており、ＤＶＤ用受光増幅素子１００ａは、ＤＶＤ用電源電圧端子Ｖcc_ＤＶＤ、ＤＶＤ用基準電圧端子Ｖref_ＤＶＤ、およびＤＶＤ用スイッチ端子ＳＷ_ＤＶＤからそれぞれ外部電圧が供給され、ＣＤ用受光増幅素子１００ｂは、ＣＤ用電源電圧端子Ｖcc_ＣＤ、ＣＤ用基準電圧端子Ｖref_ＣＤ、およびＣＤ用スイッチ端子ＳＷ_ＣＤからそれぞれ外部電圧が供給される。また、ＤＶＤ用受光増幅素子１００ａおよびＣＤ用受光増幅素子１００ｂは、電源グランド端子ＧＮＤを共用している。
【００１２】
ＤＶＤ用受光増幅素子１００ａおよびＣＤ用受光増幅素子１００ｂからそれぞれ出力された電圧信号は、ＤＶＤ用出力端子ｅ１〜ｅ３およびＣＤ用出力端子ｆ１〜ｆ３をそれぞれ介して、アナログＬＳＩ３００に送られる。アナログＬＳＩ３００は、光ピックアップ装置２００から送られた電圧信号の信号処理を行うＬＳＩであり、電子機器のドライブ側に実装されている。これにより、ＤＶＤまたはＣＤの再生が行われる。
【００１３】
光ピックアップ装置２００では、ＤＶＤ用とＣＤ用とで、受光増幅素子を含めた信号ラインがそれぞれ独立して配置されている。このため、ＤＶＤおよびＣＤに対応してどちらの信号ラインを使用するかを選択するように構成することにより、ＤＶＤおよびＣＤに対応した光ピックアップ装置２００を実現することが可能となっている。
【００１４】
ここで、図３では、ＤＶＤ用出力端子ｅ１〜ｅ３およびＣＤ用出力端子ｆ１〜ｆ３に接続される、ＤＶＤ用受光増幅素子１００ａおよびＣＤ用受光増幅素子１００ｂの出力配線は、各３本ずつを図示しているが、実際には、ＤＶＤ用受光増幅素子１００ａおよびＣＤ用受光増幅素子１００ｂは、ディスク信号用、フォーカス制御信号用、およびトラッキング制御信号用と、一般的に１０本の出力配線を備えている。つまりは、図３では、１０本の出力配線を、大きく分けた３本にまとめて図示している。
【００１５】
よって、実際には、光ピックアップ装置２００からは、合計２０本もの出力配線がアナログＬＳＩ３００に接続されている。出力配線の増加はフレキシブル基板の大型化を招くため、光ピックアップ装置２００の小型化および低コスト化が困難であった。
【００１６】
これに対し、光ピックアップ装置の小型化および低コスト化を図るために、図４に示すような、ＤＶＤ用受光増幅素子１００ａおよびＣＤ用受光増幅素子１００ｂの出力配線を共通化した構成を有する光ピックアップ装置２５０がある。
【００１７】
光ピックアップ装置２５０は、図４に示すように、光ピックアップ装置２００の構成のうちＤＶＤ用スイッチ端子ＳＷ_ＤＶＤ、ＣＤ用スイッチ端子ＳＷ_ＣＤ、ＤＶＤ用出力端子ｅ１〜ｅ３、およびＣＤ用出力端子ｆ１〜ｆ３に替えて、ＤＶＤ用とＣＤ用とで共通化したＤＶＤ／ＣＤ用出力端子ｅｆ１〜ｅｆ３、および、ＤＶＤ用とＣＤ用とで共通化したＤＶＤ／ＣＤ用スイッチ端子ＳＷ_ＤＶＤ／ＣＤを備えている。
【００１８】
光ピックアップ装置２５０では、出力配線が共通接続されているため、ＤＶＤおよびＣＤに対応して、ＤＶＤ用受光増幅素子１００ａおよびＣＤ用受光増幅素子１００ｂのいずれか一方を選択するように動作させる必要がある。この場合、ＤＶＤ用受光増幅素子１００ａおよびＣＤ用受光増幅素子１００ｂのいずれか一方を選択するために、例えば、一方を動作状態とし、他方の出力段をハイインピーダンスの停止状態と制御することにより選択する方法がある（特許文献２参照）。または、ＤＶＤ用電源電圧端子Ｖcc_ＤＶＤおよびＣＤ用電源電圧端子Ｖcc_ＣＤに外部から与える電圧をオン（供給）／オフ（遮断）することにより制御する方法が、簡単な方法として知られている。この方法は、一方が停止し、受光増幅素子の動作が完全に片側だけになることから消費電力の面でも有効であるため、一般的に利用されている。
【特許文献１】特開２００７−１３４５１号公報（平成１９年１月１８日公開）
【特許文献２】特開２００７−４８９８号公報（平成１９年１月１１日公開）
【発明の開示】
【発明が解決しようとする課題】
【００１９】
しかしながら、上記光ピックアップ装置２５０のように、ＤＶＤ／ＣＤ用スイッチ端子ＳＷ_ＤＶＤ／ＣＤを共通化する場合、一方の受光増幅素子の電源電圧端子Ｖccに与える電圧をオフにしても、ＤＶＤ／ＣＤ用スイッチ端子ＳＷ_ＤＶＤ／ＣＤへの入力電圧が、該受光増幅素子のスイッチ端子ＳＷから、スイッチ端子ＳＷに接続される静電気対策素子を介して電源電圧端子Ｖccにバイアスされるため、該受光増幅素子を完全に停止することができないという問題点を有している。
【００２０】
図５に、受光増幅素子１００における、スイッチ端子ＳＷの入力部分（以下、スイッチ端子入力部５０と称する）の概略構成を示す。
【００２１】
スイッチ端子入力部５０は、図５に示すように、静電気対策素子としてのダイオードＤ１１およびダイオードＤ１２と、抵抗Ｒ１３、抵抗Ｒ１４、バイポーラトランジスタＱ１５、バイポーラトランジスタＱ１６および定電流源１７などで構成されるスイッチ内部回路とを備えている。スイッチ端子ＳＷに入力された電圧は、スイッチ内部回路、詳細にはバイポーラトランジスタＱ１５のベースに印加される。
【００２２】
ダイオードＤ１１およびダイオードＤ１２は、電源電圧端子Ｖcc、スイッチ端子ＳＷ、および電源グランド端子ＧＮＤから、スイッチ内部回路にそれぞれ接続される配線に接続されて設けられている。つまりは、ダイオードＤ１１は、カソードが電源電圧端子Ｖccに接続され、アノードがスイッチ端子ＳＷに接続されている。ダイオードＤ１２は、カソードがスイッチ端子ＳＷに接続され、アノードが電源グランド端子ＧＮＤに接続されている。この構成により、ダイオードＤ１１およびダイオードＤ１２は、スイッチ端子ＳＷに印加される静電気ノイズを上下の電源ラインに逃がす働きをしている。
【００２３】
しかし、上述したように、複数の受光増幅素子を選択的に切り替える際、停止とされる受光増幅素子では、電源電圧端子Ｖccへの入力電圧がオフにされた状態であっても、ＤＶＤ／ＣＤ用スイッチ端子ＳＷ_ＤＶＤ／ＣＤに動作状態の受光増幅素子のゲイン制御のために電圧が入力されると、スイッチ端子ＳＷは全ての受光増幅素子のスイッチ端子ＳＷと共通に接続されているため電圧入力が発生する。この発生した場合、スイッチ端子ＳＷに入力された電圧は、電源電圧端子Ｖccへの入力電圧がオフになっているため、ダイオードＤ１１を介して、電源電圧端子Ｖccをバイアスしてしまい、受光増幅素子が動作状態になってしまう。それゆえ、停止させたい受光増幅素子を完全に停止することができない。よって、受光増幅素子の出力配線が共通に接続されていると、出力信号に不具合を生じ、所望の出力信号を得ることができない。
【００２４】
本発明は、上記従来の問題点に鑑みなされたものであって、その目的は、電源電圧の供給が遮断されている間は確実に停止することができる受光増幅素子および光ピックアップ装置を提供することにある。
【課題を解決するための手段】
【００２５】
本発明の受光増幅素子は、上記課題を解決するために、光信号を電気信号に変換する受光素子と、上記受光素子から出力される電気信号を増幅するものであって、ゲイン切替端子に入力される電圧に応じてゲインが可変する増幅回路とを備える受光増幅素子において、電源電圧の供給が遮断されることにより、上記ゲイン切替端子と上記受光増幅素子における内部回路との接続が切断されることを特徴としている。
【００２６】
上記の構成によれば、電源電圧の供給が遮断されることにより、ゲイン切替端子と受光増幅素子における内部回路との接続が切断されるので、電源電圧の供給が遮断されている間は、ゲイン切替端子に如何なる電圧が入力されても、内部回路へ電圧が供給されることはない。また、例えば内部回路に静電対策素子が設けられていても、ゲイン切替端子に入力された電圧が電源電圧としてバイアスするようなことはない。よって、電源電圧の供給が遮断されている間は確実に停止することが可能となる。
【００２７】
また、本発明の受光増幅素子は、Ｎチャネル型ＭＯＳトランジスタ、Ｐチャネル型ＭＯＳトランジスタ、およびインバータ回路により構成される切替回路を、上記ゲイン切替端子と上記内部回路との間に備え、上記Ｎチャネル型ＭＯＳトランジスタのドレイン端子と上記Ｐチャネル型ＭＯＳトランジスタのソース端子とが、上記内部回路に共通に接続され、上記Ｎチャネル型ＭＯＳトランジスタのソース端子と上記Ｐチャネル型ＭＯＳトランジスタのドレイン端子とが、上記ゲイン切替端子に共通に接続され、上記Ｎチャネル型ＭＯＳトランジスタのゲート端子には、上記電源電圧が供給され、上記Ｐチャネル型ＭＯＳトランジスタのゲート端子には、上記インバータ回路を介して上記電源電圧が供給されていることが好ましい。
【００２８】
上記の構成によれば、電源電圧が供給されている間は、Ｎチャネル型ＭＯＳトランジスタおよびＰチャネル型ＭＯＳトランジスタはオンとなるので、ゲイン切替端子と内部回路とが接続される。よって、電源電圧が供給されている間は、ゲイン切替端子に供給する電圧に応じて、吐出しおよび吸込みのどちら向きの電流も流すことが可能となる。
【００２９】
一方、電源電圧の供給が遮断されている間は、Ｎチャネル型ＭＯＳトランジスタおよびＰチャネル型ＭＯＳトランジスタはオフとなるので、ゲイン切替端子と内部回路との接続が切断される。よって、電源電圧の供給が遮断されている間は確実に停止することが可能となる。
【００３０】
また、本発明の光ピックアップ装置は、複数の波長に対応するように、複数の上記受光増幅素子を備えて構成される光ピックアップ装置において、上記各受光増幅素子のゲイン切替端子は共通の配線に接続され、かつ、上記各受光増幅素子の出力端子は共通の配線に接続されていることを特徴としている。
【００３１】
上記の構成によれば、１つの受光増幅素子が動作状態となりゲイン切替端子に入力される電圧によりゲイン制御が行われ、その他の受光増幅素子が電源電圧遮断状態とされて停止していても、停止状態の受光増幅素子では、ゲイン切替端子と内部回路との接続が切断されているので、動作状態の受光増幅素子のゲイン切替端子に入力された電圧が、停止状態の受光増幅素子に影響を与えることはない。
【００３２】
よって、各受光増幅素子のゲイン切替端子および出力端子を共通化しても、不具合なく信号を出力することが可能である。また、受光増幅素子の選択は、電源電圧を用いて行われるので、制御用ＬＳＩなどからの新たな信号ラインを必要としない。したがって、複数の波長に対応可能な光ピックアップ装置の小型化および低コスト化が可能となる。
【発明の効果】
【００３３】
以上のように、本発明の受光増幅素子は、光信号を電気信号に変換する受光素子と、上記受光素子から出力される電気信号を増幅するものであって、ゲイン切替端子に入力される電圧に応じてゲインが可変する増幅回路とを備える受光増幅素子において、電源電圧の供給が遮断されることにより、上記ゲイン切替端子と上記受光増幅素子における内部回路との接続が切断される、という構成である。
【００３４】
それゆえ、電源電圧の供給が遮断されている間は、ゲイン切替端子に如何なる電圧が入力されても、内部回路へ電圧が供給されることはない。また、例えば内部回路に静電対策素子が設けられていても、ゲイン切替端子に入力された電圧が電源電圧としてバイアスするようなことはない。よって、電源電圧の供給が遮断されている間は確実に停止することができる受光増幅素子を実現するという効果を奏する。
【００３５】
また、本発明の光ピックアップ装置は、複数の波長に対応するように、複数の上記受光増幅素子を備えて構成される光ピックアップ装置において、上記各受光増幅素子のゲイン切替端子は共通の配線に接続され、かつ、上記各受光増幅素子の出力端子は共通の配線に接続されている、という構成である。
【００３６】
これにより、１つの受光増幅素子が動作状態となりゲイン切替端子に入力される電圧によりゲイン制御が行われ、その他の受光増幅素子が電源電圧遮断状態とされて停止していても、停止状態の受光増幅素子では、ゲイン切替端子と内部回路との接続が切断されているので、動作状態の受光増幅素子のゲイン切替端子に入力された電圧が、停止状態の受光増幅素子に影響を与えることはない。
【００３７】
それゆえ、各受光増幅素子のゲイン切替端子および出力端子を共通化しても、不具合なく信号を出力することができる。また、受光増幅素子の選択は、電源電圧を用いて行われるので、制御用ＬＳＩなどからの新たな信号ラインを必要としない。したがって、複数の波長に対応可能な光ピックアップ装置の小型化および低コスト化を行うことができるという効果を奏する。
【発明を実施するための最良の形態】
【００３８】
本発明の一実施形態について図面に基づいて説明すれば、以下の通りである。なお、本実施の形態において説明すること以外の構成は、従来の受光増幅素子１００の構成と同じである。また、説明の便宜上、すでに図面を用いて説明した部材と同一の機能を有する部材については、同一の符号を付し、その説明を適宜省略する。
【００３９】
本実施の形態の受光増幅素子は、図２に示した従来の受光増幅素子１００と同様の構成、すなわち、同一の半導体基板上に形成されている、受光素子１０１、前段増幅回路１０２、後段増幅回路１０３、ロジック回路１０４、帰還回路１０５、電源電圧端子Ｖcc、スイッチ端子ＳＷ、基準電圧端子Ｖref、出力端子Ｖout、および電源グランド端子ＧＮＤを備えている。
【００４０】
また、電源電圧端子Ｖccには、例えば５Ｖの電源電圧が入力（供給、印加、バイアス）され、スイッチ端子ＳＷには、０Ｖから電源電圧である５Ｖまでの電圧が入力される。本実施の形態の受光増幅素子のゲイン特性は、スイッチ端子ＳＷに入力された電圧の電圧レベルを判定して切り替えられ、受光して増幅する光信号の波長に応じて予め設定範囲が設定されている。
【００４１】
ここで、本実施の形態の受光増幅素子は、スイッチ端子ＳＷの入力部分（以下、スイッチ端子入力部と称する）に特徴的構成を有している。この点について以下に詳細に説明する。
【００４２】
図１は、本実施の形態の受光増幅素子におけるスイッチ端子入力部１の一構成例を示す概略回路図である。
【００４３】
スイッチ端子入力部１は、図１に示すように、従来のスイッチ端子入力部５０の構成に加えて、インバータ回路３、Ｎチャネル型ＭＯＳトランジスタ（以下、ＮＭＯＳトランジスタと略記する。）ＭＮ４、およびＰチャネル型ＭＯＳトランジスタ（以下、ＰＭＯＳトランジスタと略記する。）ＭＰ５からなる切替回路２を備えている。なお、スイッチ内部回路は、例えば、コンパレータなどとして構成されるが上記構成に限定されるわけではなく、設計に応じて種々の構成が可能である。
【００４４】
インバータ回路３は、入力側が電源電圧端子Ｖccに接続され、出力側がＰＭＯＳトランジスタＭＰ５のゲート端子に接続されている。ＮＭＯＳトランジスタＭＮ４は、ゲート端子が電源電圧端子Ｖccに接続され、ソース端子がスイッチ端子ＳＷおよびＰＭＯＳトランジスタＭＰ５のドレイン端子に接続され、ドレイン端子がＰＭＯＳトランジスタＭＰ５のソース端子に接続されている。またさらに、ＮＭＯＳトランジスタＭＮ４のドレイン端子は、ダイオードＤ１１とダイオードＤ１２との間の接続点Ｐを通って、スイッチ内部回路、詳細にはバイポーラトランジスタＱ１５のベースに接続されている。
【００４５】
このように、スイッチ端子入力部１では、スイッチ端子ＳＷと接続点Ｐとを結ぶ経路上に、ＮＭＯＳトランジスタＭＮ４のドレイン端子とＰＭＯＳトランジスタＭＰ５のソース端子とが接続点Ｐに共通に接続され、ＮＭＯＳトランジスタＭＮ４のソース端子とＰＭＯＳトランジスタＭＰ５のドレイン端子とがスイッチ端子ＳＷに共通に接続されてなる切替回路２が設けられている。
【００４６】
電源電圧端子Ｖccに電源電圧が供給されると、ＮＭＯＳトランジスタＭＮ４のゲート端子に正電圧が印加されるのでドレイン／ソース間が導通し、電流が流れる状態すなわちオンとなる。また、上記電源電圧はインバータ回路３により負電圧としてＰＭＯＳトランジスタＭＰ５のゲート端子にも印加されるので、ＰＭＯＳトランジスタＭＰ５もオンとなる。よって、切替回路２がオンとなる。
【００４７】
これにより、スイッチ端子ＳＷは、接続点Ｐを介してダイオードＤ１１およびダイオードＤ１２に接続されるとともに、スイッチ内部回路に接続される。よって、電源電圧端子Ｖccに電源電圧を供給させて受光増幅素子を動作させている間は、スイッチ端子ＳＷに供給する電圧に応じて、吐出しおよび吸込みのどちら向きの電流も流すことが可能となる。
【００４８】
一方、電源電圧端子Ｖccに供給される電源電圧が遮断されると、ＮＭＯＳトランジスタＭＮ４のゲート端子に電圧が印加されないのでドレイン／ソース間が遮断し、電流が流れない状態すなわちオフとなる。また、電源電圧が遮断されると、インバータ回路３により正電圧がＰＭＯＳトランジスタＭＰ５のゲート端子に印加されるので、ＰＭＯＳトランジスタＭＰ５もオフとなる。よって、切替回路２がオフとなる。
【００４９】
これにより、スイッチ端子ＳＷは、ダイオードＤ１１、ダイオードＤ１２およびスイッチ内部回路との接続が切断される。よって、電源電圧端子Ｖccへの電源電圧の供給を遮断させて受光増幅素子を停止させている間は、スイッチ端子ＳＷに如何なる電圧が入力されても、電源電圧端子Ｖccへは影響を与えずに、受光増幅素子を完全に停止させることが可能となる。
【００５０】
以上、本実施の形態の受光増幅素子では、スイッチ端子ＳＷと接続点Ｐを通ってスイッチ内部回路とを結ぶ経路上に、電源電圧端子Ｖccに供給される電源電圧の有無（オン／オフ）の変化を利用して、電流の通過／遮断が切り替わる切替回路２を設けている。
【００５１】
それゆえ、スイッチ端子入力部１では、電源電圧端子Ｖccに供給される電源電圧を制御信号として切替回路２に与えることにより、電源電圧供給状態では、切替回路２をオンにして、スイッチ端子ＳＷと、受光増幅素子における内部回路（すなわち接続点Ｐ以降の、ダイオードＤ１１、ダイオードＤ１２、およびスイッチ内部回路を含む後段回路）との接続を確立するとともに、電源電圧遮断状態では、切替回路２をオフにして、スイッチ端子ＳＷと上記内部回路との接続を切断することが可能となっている。
【００５２】
しかも、本実施の形態の受光増幅素子では、切替回路２への制御信号を、受光増幅素子自身の電源電圧端子Ｖccに供給される電源電圧としているので、新たに制御信号供給用の端子を設ける必要がない。それゆえ、小型化および低コスト化を実現することが可能となる。
【００５３】
また、本実施の形態の受光増幅素子は、図４に示したような、ＤＶＤ用とＣＤ用とで共通化したＤＶＤ／ＣＤ用出力端子ｅｆ１〜ｅｆ３およびＤＶＤ／ＣＤ用スイッチ端子ＳＷ_ＤＶＤ／ＣＤを構成する光ピックアップ装置２５０に搭載される。すなわち、ＤＶＤ用受光増幅素子１００ａおよびＣＤ用受光増幅素子１００ｂとして、本実施の形態の受光増幅素子が用いられる。
【００５４】
本実施の形態の受光増幅素子を用いる光ピックアップ装置２５０では、一方の受光増幅素子を電源電圧遮断状態にして停止し、他方の受光増幅素子を動作状態にしてＤＶＤ／ＣＤ用スイッチ端子ＳＷ_ＤＶＤ／ＣＤに電圧を入力してゲイン制御を行っていても、停止状態の受光増幅素子では、スイッチ端子ＳＷとスイッチ内部回路との接続が切断されているので、ＤＶＤ／ＣＤ用スイッチ端子ＳＷ_ＤＶＤ／ＣＤに入力された電圧が、停止状態の受光増幅素子に影響を与えることはない。それゆえ、共通化したＤＶＤ／ＣＤ用出力端子ｅｆ１〜ｅｆ３からアナログＬＳＩ３００に、信号を不具合なく出力することが可能となる。
【００５５】
よって、各受光増幅素子のスイッチ端子ＳＷおよび出力端子Ｖoutを共通化しても、不具合なく信号を出力することができる光ピックアップ装置を実現することが可能となる。また、受光増幅素子の選択は、電源電圧を用いて行うため、制御用ＬＳＩなどからの新たな信号ラインを必要としない。したがって、これらにより、光ピックアップ装置の小型化および低コスト化を実現することが可能となる。
【００５６】
なお、上記では、ＤＶＤ用およびＣＤ用と２つの受光増幅素子を備える場合について説明したが、これに限らず、対応させる種々のメディアの数に応じて複数備えることが可能である。また、光ピックアップ装置は、半導体レーザなどを備えてメディアへの記録機能を有するように構成されてもよく、記録再生用光ディスク装置などの電子機器に好適に用いられる。
【００５７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００５８】
本発明は、電源電圧の供給状態の変化を利用して、所定の端子と内部回路との接続の確立／切断を切り替える受光増幅素子に関する分野に好適に用いることができるだけでなく、受光増幅素子の製造に関する分野、さらには、受光増幅素子を備えて構成される光ピックアップ装置に関する分野にも広く用いることができる。
【図面の簡単な説明】
【００５９】
【図１】本発明における受光増幅素子の実施の一形態を示すものであり、上記受光増幅素子におけるスイッチ端子入力部の構成を示す概略回路図である
【図２】従来の受光増幅素子の構成を示す概略回路図である。
【図３】従来の光ピックアップ装置の構成を示す概略ブロック図である。
【図４】従来の光ピックアップ装置の他の構成を示す概略ブロック図である。
【図５】上記従来の受光増幅素子におけるスイッチ端子入力部の構成を示す概略回路図である
【符号の説明】
【００６０】
１  スイッチ端子入力部
２  切替回路
３  インバータ回路
ＭＮ４  Ｎチャネル型ＭＯＳトランジスタ
ＭＰ５  Ｐチャネル型ＭＯＳトランジスタ
Ｄ１１，Ｄ１２  ダイオード（内部回路）
Ｒ１３，Ｒ１４  抵抗（内部回路）
Ｑ１５，Ｑ１６  バイポーラトランジスタ（内部回路）
１７    定電流源（内部回路）
１００ａ  ＤＶＤ用受光増幅素子
１００ｂ  ＣＤ用受光増幅素子
１０１  受光素子
１０２  前段増幅回路（増幅回路）
１０３  後段増幅回路
１０４  ロジック回路
１０５  帰還回路
１０６，１０７  抵抗
１０８  ＭＯＳスイッチ
２５０  光ピックアップ装置
ＳＷ  スイッチ端子（ゲイン切替端子）
Ｖcc  電源電圧端子
Ｖout  出力端子
Ｖref  基準電圧端子
ＧＮＤ  電源グランド端子
【図１】
2009130440.tif 000003
【図２】
2009130440.tif 000004
【図３】
2009130440.tif 000005
【図４】
2009130440.tif 000006
【図５】
2009130440.tif 000007